(57)【要約】【課題】液晶表示装置のバックライトを設けることができない表示領域と、バックライトが設けられた表示領域とに亘って所定の画像を秀麗に表示できるとともに、変動表示装置によって表示される識別情報を液晶表示装置に視認可能に表示できる遊技機を提供する。【解決手段】変動表示装置１００に表示された識別情報が視認可能でかつ画像を表示可能な第１表示領域２０１ａと、識別情報が視認不能でかつ画像を表示可能な第２表示領域２０１ｂとを有し、液晶表示装置２００と変動表示装置１００との間に、導光板用照射装置３０５，３０６，３０７によって端面側から光が照射されることで面発光する導光板３０１が設けられ、変動表示装置１００は識別情報を内側から照射する内側照明装置１１０を備え、第１表示領域と第２表示領域に亘って所定の画像を表示する場合は、導光板照射装置を点灯状態とし、かつ、内側照明装置を消灯状態とする。【選択図】図６
2020171621.tif 000002
【特許請求の範囲】
【請求項１】
複数の識別情報を変動表示する変動表示装置と、
前記変動表示装置の前側に配設された液晶表示装置とを備えた遊技機であって、
前記液晶表示装置は、前記変動表示装置に表示された前記識別情報が視認可能でかつ画像を表示可能な第１表示領域と、前記識別情報が視認不能でかつ画像を表示可能な第２表示領域とを有し、
前記液晶表示装置と前記変動表示装置との間に、導光板照射装置によって端面側から光が照射されることで面発光する導光板が前記第１表示領域を裏面側から覆うようにして設けられ、
前記変動表示装置は前記識別情報を前記変動表示装置の内側から照らす内側照明装置を備え、
前記第１表示領域と前記第２表示領域に亘って所定の画像を表示する場合は、前記導光板照射装置を点灯状態とし、かつ、前記内側照明装置および／または前記識別情報を前記変動表示装置の外側から照らす識別情報照明装置を消灯状態とすることが可能であることを特徴とする遊技機。
【発明の詳細な説明】
【技術分野】
【０００１】
本発明は、スロットマシンやパチンコ機などの遊技機に関する。
【背景技術】
【０００２】
スロットマシンやパチンコ機等の遊技機は、正面の表示窓内に複数の図柄を変動表示する回転リールを複数配列して構成した変動表示装置や、各種の画像（例えば、演出画像）を表示する画像表示装置を備えている。
このような変動表示装置や画像表示装置を備えた遊技機として特許文献１に記載のものが知られている。
【０００３】
特許文献１に記載の遊技機は、複数の図柄を変動表示する各リールと、画像を表示するとともに、正面側から見て各リールの手前側に配設され、各リールに表示された図柄を透過表示する液晶表示装置と、所定の場合、図柄表示領域を、第１の領域と、第２の領域とに交互に切り替えた後、遊技状態に応じて、いずれかの領域が図柄表示領域になるように制御する副制御回路とを有する。
【０００４】
また、画像表示装置および導光板を有する遊技機として特許文献２に記載のものが知られている。
特許文献２に記載の遊技機は、所定の条件を満たしたときに、識別情報の変動表示および停止表示が行われる液晶表示装置と、液晶表示装置の前面側に配置され、液晶表示装置の表示領域を覆う位置および液晶表示装置の表示領域を覆わない位置に移動可能であり、光が透過することにより画像を表示する導光板と、導光板に光を照射する導光板用ＬＥＤと、導光板の前面側に配置され、表示領域を覆う位置および表示領域を覆わない位置に移動可能であるシャッタと、を備えている。
【先行技術文献】
【特許文献】
【０００５】
【特許文献１】特開２００５−６６０２２号公報
【特許文献２】特開２０１５−８７４４号公報
【発明の概要】
【発明が解決しようとする課題】
【０００６】
ところで、液晶表示装置の後方に変動表示装置を備え、この変動表示装置によって表示される識別情報を液晶表示装置に透過表示させる遊技機では、通常遊技状態においては、変動表示装置によって表示される識別情報の視認を妨げてはならないため、液晶表示装置の表示領域において、識別情報を透過表示する表示領域にはバックライトを設けることができない。
このため、識別情報を視認できなくてもよい演出状態において、バックライトを設けることができない表示領域に例えば演出用の画像を表示すると、当該画像に周囲のバックライトや変動表示装置を照らす照明からの光が照射されるので、当該画像が不鮮明となってしまう。
一方、バックライトを設けることができない表示領域以外の表示領域に表示された画像は鮮明に表示されるため、両表示領域間で画像の質に差が出てしまう。このため、両表示領域に亘って画像を表示すると、当該画像を秀麗に表示できない。
【０００７】
本発明は、前記事情に鑑みてなされたもので、液晶表示装置のバックライトを設けることができない表示領域と、バックライトが設けられた表示領域とに亘って所定の画像を秀麗に表示できるとともに、変動表示装置によって表示される識別情報を視認可能に表示できる遊技機を提供することを目的とする。
【課題を解決するための手段】
【０００８】
前記目的を達成するために、本発明の遊技機は、複数の識別情報を変動表示する変動表示装置と、前記変動表示装置の前側に配設された液晶表示装置とを備えた遊技機であって、
前記液晶表示装置は、前記変動表示装置に表示された前記識別情報が視認可能でかつ画像を表示可能な第１表示領域と、前記識別情報が視認不能でかつ画像を表示可能な第２表示領域とを有し、
前記液晶表示装置と前記変動表示装置との間に、導光板照射装置によって端面側から光が照射されることで面発光する導光板が前記第１表示領域を裏面側から覆うようにして設けられ、
前記変動表示装置は前記識別情報を前記変動表示装置の内側から照射する内側照明装置を備え、
前記第１表示領域と前記第２表示領域に亘って所定の画像を表示する場合は、前記導光板照射装置を点灯状態とし、かつ、前記内側照明装置および／または前記識別情報を前記変動表示装置の外側から照らす識別情報照明装置を消灯状態とすることが可能であることを特徴とする。
【０００９】
本発明においては、前記第１表示領域に前記識別情報を視認可能に表示する場合、前記内側照明装置および／または前記識別情報照明装置を点灯状態とすることで、識別情報が照らされるとともに、前記導光板照射装置を消灯状態とすることによって、導光板は面発光することなく透明のままであるので、識別情報は導光板を通して第１表示領域に視認可能に表示される。したがって、変動表示装置によって表示される識別情報を液晶表示装置に視認可能に表示できる。
また、少なくとも前記第１表示領域に画像を表示する場合に、前記内側照明装置および／または前記識別情報照明装置を消灯状態とすることで、識別情報が照らされないか、または明瞭に照らし出されないとともに、前記導光板照射装置を点灯状態とすることによって導光板照明装置からの光によって導光板が面発光するので、この導光板が第１表示領域のバックライトの役割を果たす。したがって、液晶表示装置のバックライトを設けることができない第１表示領域と、バックライトが設けられた第２表示領域とに亘って所定の画像を秀麗に表示できる。
【発明の効果】
【００１０】
本発明によれば、液晶表示装置のバックライトを設けることができない第１表示領域と、バックライトが設けられた第２表示領域とに亘って所定の画像を秀麗に表示できるとともに、変動表示装置によって表示される識別情報を視認可能に表示できる。
【図面の簡単な説明】
【００１１】
【図１】本発明の実施の形態に係る遊技機の一例を示すもので、遊技機の斜視図である。
【図２】同、筐体とその内部に設けられたリールユニットの斜視図である。
【図３】同、液晶リールユニットを斜め正面から見た斜視図である。
【図４】同、液晶リールユニットを斜め背面から見た斜視図である。
【図５】同、液晶リールユニットの分解斜視図である。
【図６】同、液晶リールユニットの側断面図である。
【図７】同、リールユニットの１つのリールを示す斜視図である。
【図８】同、リールユニットの正面図である。
【図９】同、導光板ユニットの分解斜視図である。
【図１０】同、導光板ベースの分解斜視図である。
【図１１】同、図６におけるＡ円部の拡大図である。
【図１２】同、図６におけるＢ円部の拡大図である。
【図１３】同、リールテープをリールテープ支持部に取り付けた状態を示す図である。
【発明を実施するための形態】
【００１２】
以下、本発明の実施の形態について図面を参照して説明する。
本実施の形態は本発明を遊技機の一つであるスロットマシンに適用した場合を例にとって説明するが、本発明はスロットマシンに限ることなく、パチンコ遊技機等のその他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１３】
まず、発明が適用されるスロットマシンＭの概略構成について説明する。
図１はスロットマシンＭを示す斜視図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット、メダルを貯留するとともにメダルを払い出す払い出し装置としてのホッパーユニット等が設けられている。
【００１４】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
図２に示すように、前記筐体１内には、リールユニット１００が着脱可能に設けられている。このリールユニット１００は、略直方体状に組まれた金属枠である枠体１０１と、枠体１０１に支持された４個の回転リール１０３を備えたリールユニット本体１０２と、枠体１０１に固定された図示しない基板ユニットとを備えている。
【００１５】
図１に示すように、上扉３０には表示窓３１が設けられている。この表示窓３１は上側ほど後側に向かうように水平面に対して傾斜して設けられ、この表示窓３１の奥には、前記４個の回転リールが横一列に設けられた変動表示装置（リールユニット）１００が設けられ、このリールユニット１００の前側に液晶表示装置２００が表示窓３１に面して設けられている。
【００１６】
リールユニット１００の各回転リール１０３の外周面には複数種類の図柄（識別情報）が配列されており、回転リール１０３が停止すると表示窓３１と液晶表示装置２００を通して１リール当たり３個の図柄が表示される。スロットマシンＭでは、横３本と斜め２本とからなる計５本の入賞有効ラインが設定されている。
そして、４個の回転リール１０３が停止したときに入賞有効ライン上に停止した図柄の組み合わせによって当選役が入賞したか否かが表示される。
また、上扉３０の表示窓３１の上側中央部には、報知や演出などを行うための円形の３個の照明装置３３が横方向に並設されている。
さらに、表示窓３１の左右両側にも報知や演出などを行うための縦長の照明装置３４が設けられている。
【００１７】
また、上扉３０は、筐体１内に設けられた前記リールユニット（交換ユニット）１００にヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００１８】
なお、このスロットマシンＭは、分離型筐体タイプの構造を有するものであり、遊技店における機種の交換時に、上扉３０が回動自在に取り付けられた交換ユニット（リールユニット）１００を交換するようになっており、機種の交換時に筐体１、下扉４０および筐体１内の電源ユニットやホッパーユニット等は、遊技店の島設備に取り付けられたままで、交換されないようになっている。
また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
【００１９】
また、上扉３０の下端部には、下扉４０の前面より後方側で下扉４０の上端より下側に突出する係合部が設けられ、下扉４０が閉じた状態で、上扉３０を開放することができない構造になっている。
【００２０】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間の左右両側にはスピーカ３５が設けられている。
【００２１】
また、下扉４０の上部には、スロットマシンＭを操作するための操作部５０が設けられている。操作部５０には、クレジットされたメダルを払い出すための精算スイッチ５２、遊技を開始させるためのスタートレバー５３、４個の回転リールそれぞれの回転を停止させるための４個のストップボタン５４、メダル（遊技媒体）を投入するためのメダル投入口４２、メダル投入口４２の下方のメダル通路内で発生したメダル詰まりを解消するリジェクトボタン（図示略）、１枚のメダルをベットするときに操作される１ベットボタン５５（ベットボタン）、最大数の３枚のメダルをベットするときに操作されるＭＡＸベットボタン５６（ベットボタン）等が設けられる他、遊技の演出等を選択するための操作盤５７や、表示ユニット５８が設けられている。
操作盤５７は操作部５０の幅方向（左右方向）の略中央部に配置され、メダル投入口４２およびリジェクトボタンを挟んで、右側に表示ユニット５８が配置されている。なお、操作盤５７には、演出等の選択用の十字キー、決定ボタン、キャンセルボタン等を有している。
【００２２】
ＭＡＸベットボタン５６は、上方を向くように配置されており、上方から下方に向かって押し込まれるように形成されている。ＭＡＸベットボタン５６を動作させるために必要な力（以下、操作力という）は、約１．０Ｎとなっている。また、ＭＡＸベットボタン５６は、押圧部と弾性部材とを備えている。押圧部は、遊技者の指等によって押し込み操作される部材であり、樹脂等で形成されている。また、押圧部は、弾性部材によって上方に付勢されている。弾性部材は、押圧部を付勢するとともに、押圧部が押し込み操作された場合には付勢力に抗して弾性変形するように形成されている部材であり、ばね等が用いられている。
また、ストップボタン５４は、前方を向くように配置されており、前方から後方に向かって押し込まれるように形成されている。ストップボタン５４の操作力は、約０．７Ｎとなっている。すなわち、ストップボタン５４の操作力は、ＭＡＸベットボタン５６の操作力よりも小さくなっている。
【００２３】
また、ストップボタン５４はＭＡＸベットボタン５６と同様に、押圧部と弾性部材とを備えており、ストップボタン５４の押圧部は、弾性部材によって前方に付勢されている。
また、既述のとおり、ＭＡＸベットボタン５６の操作力は約１．０Ｎとなっている。すなわち、押圧部を押し込んで弾性部材を弾性変形させ、ＭＡＸベットボタン５６が備えるセンサからスイッチＯＮ信号（ボタンが押された旨の信号）が出力される位置まで押圧部を移動させるのに必要な荷重（センサ検知荷重）が約１．０Ｎとなっている。本実施の形態の遊技機においては、センサには、フォトセンサが用いられているが、押圧部の押し込みを検知できるものであればその他のセンサを用いてもよい。フォトセンサは、例えば、押圧部の押し込みによって動く検出物体によって、発光素子から受光素子に向かう光が変化したことを検知すると、スイッチＯＮ信号を出力するようになっている。押圧部は、センサ検知荷重より大きな荷重が加えられると、弾性部材を弾性変形させながらさらに移動し、メカストッパーに当接して停止するようになっている。ストップボタン５４（操作力約０．７Ｎ）についても同様である。
【００２４】
ここで、本実施の形態の遊技機における基本的な遊技の流れを説明する。遊技者がＭＡＸベットボタン５６を押下すると、クレジットされたメダルが投入（ベット）され、遊技を開始することが可能な状態となる。そして、遊技者が遊技を開始する操作としてスタートレバー５３を押下する操作を行うと、回転リールが回転を始め、回転リールの回転速度が所定の速度まで上昇するとストップボタン５４の押下操作が有効な状態となる。その後、遊技者が任意のタイミングでストップボタン５４を押下していくと、各回転リールが停止する。そして、すべての回転リールが停止すると、遊技の結果に応じて、メダルを払い出す処理や、メダルを新たに消費することなく再度遊技を開始可能な状態とする処理等が行なわれ、１回の遊技が終了する。
【００２５】
上記から明らかなように、ストップボタン５４は、遊技毎に回転リールの数に応じた複数個押下する必要がある。このとき、ストップボタン５４の操作力が、ＭＡＸベットボタン５６および演出ボタン６２の操作力よりも小さく設定されていることにより、遊技者は、ストップボタン５４の操作に関して軽くて心地よい操作フィーリングを得ることができるとともに、テンポよくすべてのストップボタン５４を押下することが可能となる。したがって、遊技者は快適に遊技を行うことが可能となり、遊技性が向上する。また、このように使用頻度の高いストップボタン５４の操作力が小さく設定されていることにより、遊技者の疲労の蓄積が軽減され、遊技性が向上する。
【００２６】
また、ＭＡＸベットボタン５６は、遊技を開始するための操作に用いられることや、上から叩くようにして操作することが可能であることから、強い力で操作されることも多いが、ストップボタン５４よりも操作力が大きく設定されていることにより、遊技者は適度に押しごたえのある操作フィーリングを得ることができ、遊技性が向上する。
【００２７】
図３〜図６は、変動表示装置１００、液晶表示装置２００および導光板ユニット３００を組付けた状態を示すものである。変動表示装置１００は、筐体１に取り付けられ、液晶表示装置２００は前扉３の上扉３０に設けられ、導光板ユニット３００は液晶表示装置２００に取り付けられているが、ここでは、説明の都合上、変動表示装置１００、液晶表示装置２００および導光板ユニット３００を組付けたものを液晶リールユニット９０と称する。
図３は液晶リールユニット９０を斜め正面から見た斜視図、図４は液晶リールユニット９０を斜め背面から見た斜視図である。また、図５は液晶リールユニット９０の分解斜視図、図６は液晶リールユニット９０の側断面図である。
【００２８】
本実施の形態において、変動表示装置１００はリールユニット１００であり、当該リールユニット１００は、枠体１０１に設けられた４個のステッピングモータ１０４と、各々のステッピングモータ１０４の出力軸に固定された４個の回転リール１０３とを備えている。つまり、１つの回転リール１０３を１つのステッピングモータ１０４によって回転させるようになっている。
【００２９】
ステッピングモータ１０４は、枠体１０１に固定された円板状のモータプレート１０５の中央部に取り付けられている。なお、モータプレート１０５は、ステッピングモータ１０４の数の分だけ設けられている。本実施の形態ではステッピングモータ１０４は４個あるので、モータプレート１０５も４個あり、回転リール３の軸方向に隣り合うモータプレート１０５，１０５は互いに平行に設けられている。
また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００３０】
各回転リール１０３の外周面には、図示しない帯状のリールテープが巻き付けられており、このリールテープの外周面に、図示しない複数種類の図柄（識別情報）が配列されており、回転リール１０３が停止すると表示窓３１（図１参照）を通して１リール当たり３個の図柄が表示される。スロットマシンＭでは、横３本と斜め２本とからなる計５本の入賞有効ラインが設定されている。
【００３１】
図１３は、リールテープ６０をリールテープ支持部６１に貼り付けた状態を示している。リールテープ６０は、光の透過率が高い図柄の内側部分４１２と、光の透過率が図柄の内側部分４１２よりも低い図柄以外の部分６４，６５と、光の透過率がさらに低い図柄の外側部分４１１とを有している。なお、図柄以外の部分６５はリールテープ支持部６１上に位置するリールテープ６０の部分である。
また、リールテープ６０には、他の図柄（リプレイ、ベル等）に比べて左右方向の長さが長い特別図柄４０１（青７、白７、ＢＡＲ等）が設けられている。この特別図柄４０１は、図柄の外周部に形成され、光の透過率が低い非透光部（図柄の外側部分）４１１（低透光部）（高遮光部）と、非透光部４１１の内側に形成され、光の透過率が高い透光部（図柄の内側部分）４１２（高透光部）（低遮光部）とを有している。非透光部４１１は、例えば有色不透明であり、黒色等である。透光部４１２は、例えば有色透明であり、赤色等である。なお、非透光部４１１は、透光部４１２に比べて相対的に透過率が低く設定されていればよく、必ずしも光を完全に遮断するものでなくてもよいが、遊技者から見て実質的に透光性を有していないと感じられる程度に透過率が低いことが望ましい。
【００３２】
ここで、説明のために、リールテープ６０の左端から約５ｍｍ内側（右側）の線を線Ｖ１とし、リールテープ６０の右端から約５ｍｍ内側（左側）の線を線Ｖ２とする。
透光部４１２は、その端部（左端および右端）（角部）が、線Ｖ１および線Ｖ２の内側となるように設けられている。換言すると、透光部４１２は、その端部（左端および右端）（角部）がリールテープ支持部６１と、径方向において（すなわち遊技者側から見て前後方向において）重ならない位置となるように設けられている。これにより、後述するＬＥＤ１１０ａからの光がリールテープ支持部６１によって遮られ、透光部４１２の端部（左端および右端）（角部）が陰ってしまい、視認性が低下するのを防止できる。
一方、非透光部４１１は、その端部（左端および右端）（角部）が線Ｖ１および線Ｖ２の外側となるように設けられている。換言すると、非透光部４１１は、その端部（左端および右端）（角部）がリールテープ支持部６１と、径方向において（すなわち遊技者側から見て前後方向において）重なる位置となるように設けられている。なお、非透光部４１１における左右方向のいずれか一方の端部（左端および右端）（角部）が、リールテープ支持部６１と重なる位置となるように設けられていてもよい。
このように構成することで、遊技性を向上させる観点等から視認性を向上させたい特別図柄４０１を可能な限り大きく表示できるとともに、特別図柄４０１における照明を要する箇所（すなわち透光部４１２）には確実に光が到達し、特別図柄４０１の視認性の低下を防止できる。
【００３３】
リールテープ支持部６１は樹脂で形成されている。当該樹脂が黒色等の不透明（透光性を有しない）のものである場合、内側からの光がリールテープ支持部６１によって遮られるため、透光部４１２をリールテープ支持部６１と重ならない位置に設けることが特に有効となる。なお、樹脂が透明（無色透明または有色透明）（透光性を有する）の場合であっても、リールテープ支持部６１によって光の透過量が減少することとなるため、透光部４１２をリールテープ支持部６１と重ならない位置に設けることは有効である。
【００３４】
後述する識別情報照明装置４００，４５０は、リールテープ６４全体を満遍なく照らして明るくするためのものであり、後述する内側照明装置１１０は、図柄の内側部分（透光部４１２）を照らして強調するためのものである。つまり、後述する第１表示領域２０１ａに表示する画像を明瞭化するためには、内側照明装置１１０よりも識別情報照明装置４００，４５０を消灯させた方が効果的となる。なお、内側照明装置１１０および識別情報照明装置４００，４５０の双方を消灯させることにより、第１表示領域２０１ａに表示する画像をより明瞭化できるのは言うまでもない。
【００３５】
また、変動表示装置（リールユニット）１００は、図６および図７に示すように、各回転リール１０３のそれぞれに対して１つのリフレクタ１０６を備えている。したがって、リフレクタ１０６はリールユニット１００に合計４個設けられている。また、リフレクタ１０６は前記モータプレート１０５の外周部に固定されており、回転リール１０３の周方向に隣り合う３つの部屋１０６ａを有している。
【００３６】
部屋１０６ａは、図７に示すように、回転リール１０３の周方向に離間する２つの壁面１０６ｂ，１０６ｂと、回転リール１０３の軸方向に離間する２つの壁面１０６ｃ，１０６ｃとを備えている。２つの壁面１０６ｂ，１０６ｂはその基端部（回転リール１０３の径方向内側の基端部）が互いに平行に配置され、この基端部より先端側は回転リール１０３の径方向外側に向かうほど離間するように配置されている。
また、２つの壁面１０６ｃ，１０６ｃもその基端部（回転リール１０３の径方向内側の基端部）が互いに平行に配置され、この基端部より先端側は回転リール１０３の径方向外側に向かうほど離間するように配置されている。したがって、部屋１０６ａは、壁面１０６ｂ，１０６ｃの基端部より先端側が回転リール１０３の径方向外側に向かうほど開口断面が広くなるように形成されている。
また、部屋１０６ａの底面、つまり回転リール１０３の径方向内側における部屋１０６ａの底面は、矩形状に開口しており、この開口にＬＥＤ基板（内側照明装置）１１０に設けられた複数のＬＥＤ（光源）１１０ａが臨んでいる。ＬＥＤ基板１１０は、図６に示すように、リフレクタ１０６の底部、つまり回転リール１０３の径方向内側におけるリフレクタ１０６の底部に取り付けられている。また、ＬＥＤ１１０ａが実装されたＬＥＤ基板１１０と、リフレクタ１０６とは、回転リール１０３を内側から照らすバックライトを構成している。そして、バックライトの隣接する３つの部屋１０６ａそれぞれからの光が、停止した回転リール１０３の上段図柄領域、中段図柄領域、下段図柄領域それぞれを照らすようになっている。
【００３７】
ＬＥＤ基板１１０が取り付けられたリフレクタ１０６は、図６に示すように、３つの部屋１０６ａの先端開口を液晶表示装置２００の後述する第１表示領域２０１ａ側に向けて、モータプレート１０５の外周部に固定され、このモータプレート１０５がリールユニット１００の枠体１０１に固定されている。
【００３８】
また、ＬＥＤ基板１１０には、当該ＬＥＤ基板１１０に設けられた複数のＬＥＤ１１０ａのそれぞれの近傍に、図８に示すように、各ＬＥＤ１１０を識別するための識別符号１１１が記されている。
具体的には、１つの回転リール１０３に対して、１枚のＬＥＤ基板１１０が備えられ、当該ＬＥＤ基板１１０には、回転リール１０３の周方向に隣り合う各部屋１０６ａの底面開口に臨んで複数のＬＥＤ１１０ａが実装されている。各部屋１０６ａには２〜９個のＬＥＤ１１０ａが臨んでおり、したがって、１枚のＬＥＤ基板１１０には６〜２７個のＬＥＤ１１０ａが実装されている。なお、図８では、１枚のＬＥＤ基板１１０に６個のＬＥＤ１１０ａが実装されている場合を示しているが、ＬＥＤ１１０ａの個数はこれに限ることはない。例えば、図７に示すように、リフレクタ１０６の各部屋１０６ａの底面開口にそれぞれ９個のＬＥＤ１１０ａが臨んでいてもよい。この場合、１枚のＬＥＤ基板１１０に２７個のＬＥＤ１１０ａが設けられる（実装される）ことになる。
【００３９】
そして、図８に示すように、１枚のＬＥＤ基板１１０に６個のＬＥＤ１１０ａが実装されている場合には、各ＬＥＤ１１０ａには、１〜６までの通し番号が付与されている。各ＬＥＤ１１０ａの近傍には、識別符号１１１として「ＬＥＤ１」〜「ＬＥＤ６」までの文字がそれぞれ記されている。なお、１枚のＬＥＤ基板１１０にｎ（自然数）個のＬＥＤ１１０ａが実装されている場合には、各ＬＥＤ１１０ａには、１〜ｎまでの通し番号が付与されている。そして、各ＬＥＤ１１０ａの近傍には、識別符号１１１として「ＬＥＤ１」〜「ＬＥＤｎ」までの文字がそれぞれ記されている。
【００４０】
通し番号は、遊技機（ＬＥＤ基板１１０）の設計者によって定められるものであり、例えば６個のＬＥＤ１１０ａのうちの１個のＬＥＤ１１０ａが点灯しなくなった場合等に、当該点灯しなくなったＬＥＤ１１０ａの識別符号１１１を確認することで、点灯しなくなったＬＥＤ１１０ａの通し番号を判別することが可能となり、当該点灯しなくなったＬＥＤ１１０ａの識別符号１１１からＬＥＤ基板１１０の回路図等を辿ることにより、ＬＥＤ基板１１０の故障個所等を解析することが可能となる。
【００４１】
また、識別符号１１１は、リフレクタ１０６がＬＥＤ基板１１０の前面側に配置された状態であっても各ＬＥＤ１１０ａを識別可能な位置に設けられている。すなわち、リフレクタ１０６は、ＬＥＤ基板１１０の前方に、ＬＥＤ基板１１０のＬＥＤ１１０ａが実装された面の少なくとも一部を覆うように配置されているが、リフレクタ１０６の各部屋１０６ａの底面開口はＬＥＤ基板１１０の表面に臨んでおり、この底面開口に臨むようにして識別符号１１１がＬＥＤ１１０ａの近傍に記されている。したがって、リフレクタ１０６が配置された状態においても、リフレクタ１０６の底面開口（部屋１０６ａ）を通して、各ＬＥＤ１１０ａの通し番号が何番なのかがわかるようになっている。このとき、識別符号１１１は、その全体が視認可能となっていなくてもよく、各ＬＥＤ１１１を識別可能な状態となっていればよい。例えば、「ＬＥＤ１」〜「ＬＥＤｎ」までの文字のうち、その一部がリフレクタ１０６によって隠されていても、数字部分「１」〜「ｎ」が判別可能な程度に見えていれば、各ＬＥＤ１１１を識別することが可能となる。
【００４２】
なお、識別符号１１１としての「ＬＥＤ１」〜「ＬＥＤ６」の文字のうちの数字部分「１」〜「６」は、リフレクタ１０６がＬＥＤ基板１１０の前面側に配置された状態において、正面側から部屋１０６ａを通して視認可能な状態となっている。したがって、ＬＥＤ基板１１０の前面側に設けられたＬＥＤ１１０ａは全て、識別符号１１１により識別可能な状態となっている。
また、ＬＥＤ基板１１０の前面に設けられた識別符号１１１は全て、ＬＥＤ１１０ａに対して同じ側（図８ではＬＥＤ１１０ａの下側）に設けられている。また、識別符号１１１は、全て標記方向が揃えられている。例えば図８に示すように、識別符号１１１は全て、左から右に読むよう記載されている。
また、ここでは回転リール１０３のバックライトのリフレクタ１０６およびＬＥＤ基板１１０を例にとって説明したが、演出用の照明装置等の他の照明装置に用いられるリフレクタおよびＬＥＤ基板についても同様に、リフレクタが配設された状態で識別符号１１１を判別可能に構成してもよい。また、ここでは隣接する部屋１０６ａどうしを仕切り、隣接する部屋１０６ａからの光を遮る仕切り部材として、光を反射するリフレクタ１０６（例えば、白色の仕切り部材）を用いた場合を例にとって説明したが、リフレクタ１０６の替わりに光を反射しないもの（例えば、黒色の仕切り部材）を用いてもよい。
【００４３】
液晶表示装置２００は、遊技の演出や遊技の情報等を画像表示するものであり、スロットマシンＭの正面から見てリールユニット（変動表示装置）１００の前側に配設されている。
また、図５および図６に示すように、液晶表示装置２００は、液晶モジュール２０１と、この液晶モジュール２０１が収納される液晶ケース２０２とを備えている。
液晶モジュール２０１は、第１表示領域２０１ａと第２表示領域２０１ｂとを有している。第１表示領域２０１ａは、液晶モジュール２０１の正面視において、略下半分に横長の矩形状に形成されている。すなわち、第１表示領域２０１ａは、正面視において、リールユニット１００の回転リール１０３が停止した際に回転リール１０３に上下方向に３個、回転リール１０３は左右に４個あるので、合計上下左右方向に１２個表示される図柄（識別情報）を視認できるような矩形形状に形成されている。
【００４４】
このような第１表示領域２０１ａは、前記識別情報が視認可能でかつ、演出用等の画像を表示可能となっている。
すなわち、本実施の形態の液晶モジュール２０１は、透過型であり、液晶層、偏光フィルター、カラーフィルタ、ガラス基板、配向膜、透明電極、およびバックライト等によって形成された複数層構造となっている。
バックライトは、例えば矩形板状の導光板によって形成されたバックライト導光板であり、当該バックライト導光板の端面（上下端面および両側端面）側に図示しないＬＥＤ等の光源が設けられ、この光源からの光をバックライト導光板の端面側から入射することで、バックライト導光板が面発光するようになっている。このバックライト導光板は第２表示領域２０１ｂの背面側に設けられている。
【００４５】
そして、本実施の形態では、液晶モジュール２０１の表面側にある第１表示領域２０１ａには液晶モジュールとしてのバックライトが設けられていない。つまり、矩形板状のバックライト導光板のうち、第１表示領域２０１ａに対応する部位、つまり第１表示領域２０１ａの背面側に位置するバックライト導光板の部位が第１表示領域２０１ａと同形、同大の矩形形状に切り欠かれている。
このような第１表示領域２０１ａは、変動表示装置（リールユニット）１００に表示された識別情報が視認可能でかつ画像を表示可能となっている。
【００４６】
なお、液晶モジュール２０１は液晶に対して電圧を印加しない状態で光透過度が最大となるＮＷ（ノーマリーホワイト）型であり、液晶に対して電圧を印加しない状態によって、第１表示領域２０１ａは透明な状態となる。したがって、この状態で、第１表示領域２０１ａに前記識別情報を視認可能に表示でき、また、導光板ユニット３００の後述する導光板３０１を面発光させることによって、この導光板３０１が第１表示領域２０１ａのバックライトとして機能するので、液晶に対して電圧を印加することによって第１表示領域２０１ａに演出用等の画像を表示できる。
また、第１表示領域２０１ａは後述する第２表示領域２０１ｂより若干奥側に窪んでいてもよい。
【００４７】
第２表示領域２０１ｂは、液晶モジュール２０１の画像表示領域のうち、第１表示領域２０１ａを除いた部分であり、本実施の形態では、第１表示領域２０１ａより上側の広い横長矩形の領域、第１表示領域２０１ａより下側の狭い横長矩形の領域および第１表示領域２０１ａより左右側の縦長矩形の狭い領域によって構成されている。つまり、第２表示領域２０１ｂは、第１表示領域２０１ａを囲むように配置されている。
このような第２表示領域２０１ｂの背面側には、上述したようにバックライト導光板が配置されている。したがって、このバックライト導光板を面発光させるとともに液晶に対して電圧を印加することによって第２表示領域２０１ｂに演出用等の画像を表示できる。また、この第２表示領域２０１ｂと第１表示領域２０１ａとに亘って一つのまとまりのある画像を表示することもできる。
【００４８】
また、図５に示すように、液晶ケース２０２は、液晶モジュール２０１の背面側を覆う背面板２０２ａと、この背面板２０２ａの左右両側部に背面板２０２ａに対して直角に設けられた左右側板２０２ｂ，２０２ｂと、背面板２０２ａの上下両端部に背面板２０２ａに対して直角に設けられた上板２０２ｃ、下板２０２ｄとを備えている。
また、背面板２０２ａには、液晶モジュール２０１の第１表示領域２０１ａの背面側を露出させるための矩形状の開口部２０２ｅが設けられている。したがって、液晶ケース２０２に液晶モジュール２０１を収納した状態において、第１表示領域２０１ａの背面側は液晶ケース２０２の開口部２０２ｅによって露出しており、これによって、液晶表示装置２００の後方に設けられている変動表示装置（リールユニット）１００に表示された識別情報を導光板ユニット３００の導光板３０１を通して視認可能となっている。
【００４９】
なお、液晶ケース２０２に液晶モジュール２０１を収納した状態において、液晶モジュール２０１の背面は液晶ケース２０２の背面板の前面２０２ａに当接し、液晶モジュール２０１の左右側端面は液晶ケース２０２の左右側板２０２ｂ，２０２ｂの内面に当接し、液晶モジュール２０１の上面は液晶ケース２０２の上板２０２ｃの下面に当接し、液晶モジュール２０１の下面は液晶ケース２０２の下板２０２ｄの上面に当接している。
また、図６に示すように、液晶モジュール２０１の画像表示領域（第１表示領域２０１ａおよび第２表示領域２０１ｂ）の表面は、液晶ケース２０２の矩形枠状の前面（左右側板２０２ｂ，２０２ｂ、上板２０２ｃおよび下板２０２ｄの先端面によって形成された矩形枠状の前面）より窪んでいる。
【００５０】
図９に示すように、導光板ユニット３００は、導光板３０１と、導光板ベース３０２とを備えている。
導光板３０１は、光透過性を有する透明な材料（例えばアクリル樹脂）によって矩形板状に形成されている。この導光板３０１は端面（上下端面および左右側端面）側から光が照射されることで面発光するようになっている。また、導光板３０１は上下に複数分割されているが分割されていなくてもよい。
【００５１】
例えば導光板３０１の背面に、図示しない複数の窪みを形成し、導光板３０１の端面（上下端面および左右側端面）から入射した光は、窪みの表面において窪みの表面への入射角度に応じた角度へと反射または屈折することにより拡散される。そして、このような光の拡散が窪みのそれぞれで発生することにより、導光板３０１が面発光する。なお、導光板３０１を面発光させる場合、前記窪みに限定されず、刻みを設けてもよいし、点状の窪み、刻みに限定されず、筋状の窪み（すなわち、溝や筋状の刻み）を導光板３０１に設けてもよいし、このような窪みや溝、刻みを組み合わせて設けてもよい。
また、導光板３０１の左右側部には、当該導光板３０１の左右両側端面に光を導入するためのレンズ部材３０３が設けられている。
【００５２】
導光板ベース３０２は、中央部に矩形状の開口部３０２ａを有する矩形枠状に形成され、当該開口部３０２ａの上方、下方および左右側方にそれぞれＬＥＤ基板（導光板照明装置）３０５、ＬＥＤ基板３０６（導光板照明装置）およびＬＥＤ基板３０７，３０７（導光板照明装置）が設けられている。
【００５３】
すなわち、図１０に示すように、導光板ベース３０２は、上設置部３０２ｂ、下設置部３０２ｃ、左右設置部３０２ｄ，３０２ｄを有している。
上設置部３０２ｂは導光板ベース３０２の上面側に設けられ、この上設置部３０２ｂにＬＥＤ基板３０５が設けられている。ＬＥＤ基板３０５は左右に長尺でかつ板面を上下に向けて配置された矩形板状にものであり、その下面に複数のＬＥＤ３０５ａ（図６および図１１参照）が左右に所定間隔で設けられている。なお、ＬＥＤ基板３０５は左右に分割されている。
【００５４】
下設置部３０２ｃは導光板ベース３０２の下面側に設けられ、この下設置部３０２ｃにＬＥＤ基板３０６が設けられている。ＬＥＤ基板３０６は左右に長尺でかつ板面を上下に向けて配置された矩形板状にものであり、その上面に複数のＬＥＤ３０６ａが左右に所定間隔で設けられている。なお、ＬＥＤ基板３０６は左右に分割されている。また、ＬＥＤ基板３０６の上面にはＬＥＤ３０６ａの後方において複数のＬＥＤ４５０ａが左右に所定間隔で設けられているが、当該ＬＥＤ４５０ａについては後述する。
【００５５】
左右設置部３０２ｄ，３０２ｄは導光板ベース３０２の左右側部に設けられ、この左右設置部３０２ｄ，３０２ｄにＬＥＤ基板３０７，３０７が設けられている。ＬＥＤ基板３０７は上下に縦長でかつ板面を左右に向けて配置された矩形板状のものであり、左側のＬＥＤ基板３０７の右面に複数のＬＥＤ３０７ａが設けられ、右側のＬＥＤ基板３０７の左面に複数のＬＥＤ３０７ａが上下に所定間隔で設けられている。
【００５６】
また、導光板ベース３０２には、開口部３０２ａの上辺より上側に上拡散レンズ３１０が設けられ、開口部３０２ａの下辺より下側に下拡散レンズ３１１が設けられている。
上拡散レンズ３１０はＬＥＤ基板３０５の長手方向に沿って左右に連続した長尺なものであり、図１１に示すように、ＬＥＤ基板３０５の下面に近接して設けられている。また、ＬＥＤ基板３０５のＬＥＤ３０５ａは上拡散レンズ３１０の上端面に対向して当接または近接している。したがって、ＬＥＤ３０５ａからの光は上拡散レンズ３１０で拡散されて導光板３０１の上端面に均一に照射されるようになっている。
【００５７】
下拡散レンズ３１１はＬＥＤ基板３０６の長手方向に沿って左右に連続した長尺なものであり、図１２に示すように、ＬＥＤ基板３０６の上面に近接して設けられている。また、ＬＥＤ基板３０６のＬＥＤ３０６ａは下拡散レンズ３１１の下端面に対向して当接または近接している。したがって、ＬＥＤ３０６ａからの光は下拡散レンズ３１１で拡散されて導光板３０１の下端面に均一に照射されるようになっている。
【００５８】
また、左右のＬＥＤ基板３０７，３０７は、導光板３０１の側端面に近接して配置されており、ＬＥＤ３０７ａは導光板３０１の側端面に対向している。導光板３０１の導光板３０１の左右側部には、上述したようにレンズ部材３０３が設けられている。したがって、ＬＥＤ３０７ａからの光はレンズ部材３０３を通して導光板３０１の側端面に照射されるようになっている。なお、レンズ部材３０３を拡散レンズによって形成してもよい。このようにすれば、ＬＥＤ３０６ａからの光をレンズ部材３０３で拡散させて導光板３０１の側端面に均一に照射することができる。
【００５９】
また、導光板ベース３０２は開口部３０２ａの縁に沿って矩形枠状の当接部３０２ｆが設けられ、この当接部３０２ｆに導光板３０１の裏面の外周部が当接されることによって、導光板３０１の板厚方向の位置決めがなされている。
また、導光板ベース３０２には、ねじ穴を有する突部３０２ｇが導光板ベース３０２の４隅部に設けられている。そして、導光板３０１はその裏面を前記当接部３０２ｆに当接した状態で、レンズ部材３０３の上下端部に設けられている孔３０３ａにそれぞれ図示しないネジを挿通し、当該ネジを前記突部３０２ｇのねじ穴に螺合して締め付けることによって導光板ベース３０２に固定されている。
【００６０】
また、導光板ベース３０２に固定された導光板３０１の上端部は、図１１に示すように、液晶モジュール２０１の上側の第２表示領域２０１ｂの背面側の下端部と液晶モジュール２０１の厚さ方向において重なっているが、液晶モジュール２０１の背面は、第１表示領域２０１ａに背面側を除いて、光を透過させない金属製のパネルによって覆われているので、面発光している導光板３０１から光が液晶モジュール２０１の内部のバックライト導光板に干渉することはない。
同様に、導光板ベース３０２に固定された導光板３１１の下端部は、図１２に示すように、液晶モジュール２０１の下側の第２表示領域２０１ｂの背面側の上端部と液晶モジュール２０１の厚さ方向において重なっているが、液晶モジュール２０１の背面は、第１表示領域２０１ａに背面側を除いて、光を透過させない金属製のパネルによって覆われているので、面発光している導光板３０１から光が液晶モジュール２０１の内部のバックライト導光板に干渉することはない。
【００６１】
また、導光板ユニット３００は、リールユニット（変動表示装置）１００の識別情報を当該リールユニット１００の外側から照らす識別情報照明装置４００，４５０を備えている。
すなわち、図６および図１１に示すように、導光板ユニット３００の導光板ベース３０２の裏面側でかつ上部には識別情報照明装置４００としてのＬＥＤ基板４００が設けられている。このＬＥＤ基板４００はＬＥＤ基板３０５の長手方向（図１１において紙面と直交する方向）に長尺な矩形板状に形成され、その下面に複数のＬＥＤ４００ａがＬＥＤ基板４００の長手方向に所定間隔で設けられている。ＬＥＤ基板４００は導光板ベース３０２の支持壁４０１によって下方から支持され、この状態において、ＬＥＤ基板４００はリールユニット（変動表示装置）１００のリフレクタ１０６側に向いている。また、支持壁４０１には開口部４０１ａが設けられ、この開口部４０１ａにＬＥＤ４００ａが面している。したがって、ＬＥＤ４００ａからの光は開口部４０１ａを通してリフレクタ１０６側に照射され、リフレクタ１０６の部屋１０６ａの下面開口に露出している識別情報を照らすようになっている。
【００６２】
また、ＬＥＤ基板（導光板照明装置）３０５のＬＥＤ（光源）３０５ａは専ら導光板３０１を照らし、ＬＥＤ基板（識別情報照明装置）４００のＬＥＤ４００ａは専ら前記識別情報を照らすようになっている。
すなわち、図１１に示すように、ＬＥＤ基板（識別情報照明装置）４００はＬＥＤ基板（導光板照明装置）３０５より下方に設けられ、ＬＥＤ基板４００のＬＥＤ（光源）４００ａとＬＥＤ３０５のＬＥＤ（光源）３０５ａとの間には遮光壁４１０が設けられている。
この遮光壁４１０は、導光板ベース３０２の背面（裏面）側において、ＬＥＤ基板３０５とＬＥＤ基板４００との間に水平に対して若干傾斜して設けられた壁部４１０ａと、この壁部４１０ａの前側の縁部から下方に延び下端部がＬＥＤ基板４００より下方に突出する壁部４１０ｂと、壁部４１０ａの後側の縁部から上方に延びて上端がＬＥＤ基板３０５より上方に突出する壁部４１０ｃとを備えている。
したがって、ＬＥＤ基板３０５のＬＥＤ（光源）３０５ａからの光とＬＥＤ基板４００のＬＥＤ（光源）４００ａからの光は遮光壁４１０によって互いに遮光されるので、ＬＥＤ３０５ａからの光によってリールユニット１００（の識別情報）が照らされることもなく、ＬＥＤ４００ａからの光によって導光板３０１が照らされることもない。
【００６３】
また、図１２に示すように、導光板ユニット３００の導光板ベース３０２の下部には識別情報照明装置４５０としてのＬＥＤ基板３０６が設けられている。このＬＥＤ基板３０６は導光板３０１の下端面に光を照射するＬＥＤ（光源）３０６ａを有する他、リールユニット（変動表示装置）１００側を照らすＬＥＤ（光源）４５０ａを有している。つまり、本実施の形態では、識別情報照明装置４５０と導光板照明装置３０６とを共通のＬＥＤ基板３０６によって構成している。
【００６４】
ＬＥＤ基板４５０（３６０）のＬＥＤ４５０ａはリールユニット１００側を向いており、導光板ベース３０２の下端部には、ＬＥＤ４５０ａからの光をリールユニット１００側に照射するための開口部４５２が設けられている。したがって、ＬＥＤ４５０ａからの光は開口部４５２を通してリフレクタ１０６側に照射され、リフレクタ１０６の部屋１０６ａの下面開口に露出している識別情報を照らすようになっている。
【００６５】
また、ＬＥＤ基板（導光板照明装置）３０６のＬＥＤ（光源）３０６ａは専ら導光板３０１を照らし、ＬＥＤ基板（識別情報照明装置）４５０のＬＥＤ４５０ａは専ら前記識別情報を照らすようになっている。
すなわち、ＬＥＤ基板４５０のＬＥＤ（光源）４５０ａとＬＥＤ（光源）３０６ａとの間には遮光壁４３０が設けられている。この遮光壁４３０は、導光板ベース３０２の下端部の壁部によって構成されている。遮光壁４３０はＬＥＤ基板４５０（３６０）の長手方向に沿って延在しており、当該遮光壁４３０の下端面は、ＬＥＤ基板４５０（３６０）の上面に、ＬＥＤ３６ａの列と、ＬＥＤ４５０ａの列との間において、密接しており、遮光壁４３０の下端面とＬＥＤ基板４５０（３６０）の上面との間からの光漏れを防止している。
したがって、ＬＥＤ３０６ａからの光とＬＥＤ４５０ａからの光は遮光壁４３０によって互いに遮光されるので、ＬＥＤ３０６ａからの光によってリールユニット１００（の識別情報）が照らされることもなく、ＬＥＤ４５０ａからの光によって導光板３０１が照らされることもない。
【００６６】
そして、このような構成の遊技機では、液晶モジュール２０１の第１表示領域２０１ａにリールユニット１００の識別情報を視認可能に表示する場合には、導光板ユニット３００の導光板照射装置であるＬＥＤ基板３０５，３０６，３０７のＬＥＤ３０５ａ，３０６ａ，３０７ａを消灯状態するとともに、識別情報照明装置４００，４５０のＬＥＤ４００ａ，４５０ａおよび回転リール１０３の内部に設けられたリール内側照明装置（内側照明装置）であるＬＥＤ基板１１０のＬＥＤ１１０ａを点灯状態とする。
【００６７】
また、少なくとも第１表示領域２０１ａに画像を表示する場合には、導光板照射装置であるＬＥＤ基板３０５，３０６，３０７のＬＥＤ３０５ａ，３０６ａ，３０７ａを点灯状態として、ＬＥＤ３０５ａ，３０６ａ，３０７ａからの光を導光板３０１の端面側から照射して当該導光板３０１を面発光させる。また、第２表示領域２０１ｂに画像を表示する場合は液晶モジュール２０１の液晶に対して電圧を印加することによって第２表示領域２０１ｂに演出用等の画像を表示し、さらに、第１表示領域２０１ａおよび第２表示領域２０１ｂの双方に演出用等の画像を一体的に表示する場合、導光板３０１を面発光させるとともに、液晶モジュール２０１の液晶に対して電圧を印加する。この場合、識別情報照明装置４００，４５０およびリール内側照明装置であるＬＥＤ基板１１０のＬＥＤ１１０ａは消灯させるのが好ましい。
【００６８】
また、変動表示装置（リールユニット）１００が識別情報の変動を停止したときには、少なくとも特定の箇所（例えば回転リール１０３の上段図柄領域、中段図柄領域、下段図柄領域）の識別情報に対応する導光板照明装置３０５，３０６，３０７のＬＥＤ３０５ａ，３０６ａ，３０７ａを消灯状態とし、かつ、特定の箇所の識別情報に対応する内側照明装置１１０であるＬＥＤ基板１１０のＬＥＤ１１０ａおよび識別情報照明装置４００，４５０のＬＥＤ４００ａ，４５０ａを点灯状態とする。
このようにすれば、変動表示装置１００が識別情報の変動を停止したときに、少なくとも特定の箇所の識別情報を確実に識別できる。
【００６９】
以上のように本実施の形態によれば、内側照明装置１１０であるＬＥＤ基板１１０のＬＥＤ１１０ａおよび識別情報照明装置４００，４５０のＬＥＤ４００ａ，４５０ａを点灯状態とすることで、識別情報が照らされるとともに、液晶モジュール２０１の第１表示領域２０１ａにリールユニット１００の識別情報を視認可能に表示する場合に、導光板照射装置であるＬＥＤ基板３０５，３０６，３０７のＬＥＤ３０５ａ，３０６ａ，３０７ａを消灯状態とすることによって、導光板３０１は面発光することなく透明のままであるので、識別情報は導光板３０１を通して第１表示領域２０１ａに視認可能に表示される。したがって、リールユニット１００によって表示される識別情報を液晶表示装置２００に視認可能に表示できる。
また、少なくとも前記第１表示領域に画像を表示する場合に、内側照明装置１１０であるＬＥＤ基板１１０のＬＥＤ１１０ａおよび／識別情報照明装置４００，４５０のＬＥＤ４００ａ，４５０ａを消灯状態とすることで、識別情報が照らされないか、または明瞭に照らし出されないとともに、導光板照射装置であるＬＥＤ基板３０５，３０６，３０７のＬＥＤ３０５ａ，３０６ａ，３０７ａを点灯状態とすることによって導光板照明装置からの光によって導光板３０１が面発光するので、この導光板３０１が第１表示領域２０１ａのバックライトの役割を果たす。したがって、液晶表示装置２００のバックライトを設けることができない第１表示領域２０１ａと、バックライトが設けられた第２表示領域２０１ｂとに亘って所定の画像を秀麗に表示できる。
【００７０】
また、第２表示領域２０１ｂを裏面側から照らすバックライト導光板は、第１表示領域２０１ａを裏面側から照らす導光板３０１とは別体であるので、第１表示領域２０１ａを照らす導光板３０１と第２表示領域２０１ｂ照らすバックライト導光板との点灯、消灯の制御が容易となる。
【００７１】
また、導光板照明装置（ＬＥＤ３０５，ＬＥＤ３０６）の光源３０５ａ，３０６ａと識別情報照明装置４００，４５０の光源４００ａ，４５０ａとの間に遮光壁４１０，４３０が設けられているので、識別情報照明装置４００，４５０の光源４００ａ，４５０ａからの光が遮光壁４１０，４３０によって遮断されて、導光板照明装置（ＬＥＤ３０５，ＬＥＤ３０６）側に至るのを防止できる。したがって、第１表示領域２０１ａに識別情報を視認可能に表示するために導光板照射装置（ＬＥＤ３０５，ＬＥＤ３０６）を消灯状態とした場合に、識別情報照明装置４００，４５０の光源４００ａ，４５０ａからの光が導光板３０１に照射されて、当該導光板３０１が面発光することがないので、識別情報を液晶表示装置２００の第１表示領域２０１ａに鮮明に視認可能に表示できる。
【００７２】
また、導光板ベース３０２には、開口部３０２ａの上辺より上側に上拡散レンズ３１０が設けられ、開口部３０２ａの下辺より下側に下拡散レンズ３１１が設けられ、ＬＥＤ基板３０５のＬＥＤ３０５ａは上拡散レンズ３１０の上端面に対向して当接または近接し、ＬＥＤ基板３０６のＬＥＤ３０６ａは下拡散レンズ３１１の下端面に対向して当接または近接しているので、ＬＥＤ３０５ａ，３０６ａからの光は上拡散レンズ３１０および下拡散レンズ３１１で拡散されて導光板３０１の上端面および下端面に均一に照射することができる。
【符号の説明】
【００７３】
１００  リールユニット（変動表示装置）
１１０  ＬＥＤ基板（内側照明装置）
２００  液晶表示装置
２０１ａ  第１表示領域
２０１ｂ  第２表示領域
３０１  導光板
３０５，３０６，３０７  ＬＥＤ基板（導光板照明装置）
３０５ａ，３０６ａ  ＬＥＤ（光源）
４００，４５０  ＬＥＤ基板（識別情報照明装置）
４００ａ，４５０  ＬＥＤ（光源）
４１０，４３０  遮光壁
【図１】
2020171621.tif 000003
【図２】
2020171621.tif 000004
【図３】
2020171621.tif 000005
【図４】
2020171621.tif 000006
【図５】
2020171621.tif 000007
【図６】
2020171621.tif 000008
【図７】
2020171621.tif 000009
【図８】
2020171621.tif 000010
【図９】
2020171621.tif 000011
【図１０】
2020171621.tif 000012
【図１１】
2020171621.tif 000013
【図１２】
2020171621.tif 000014
【図１３】
2020171621.tif 000015